【手続補正書】
【提出日】平成25年9月2日(2013.9.2)
【手続補正１】
【補正対象書類名】特許請求の範囲
【補正対象項目名】全文
【補正方法】変更
【補正の内容】
【特許請求の範囲】
【請求項１】
サーバと、それぞれがデバイスを内蔵する複数の装置とを備え、前記複数の装置が前記サーバからの指示に応じて前記デバイスへの通電のオン及びオフを制御するシステムであって、
前記サーバは、
前記複数の装置の動作状態を示す動作状態情報を、前記複数の装置のそれぞれから収集する収集手段と、
前記収集手段によって収集した動作状態情報を参照して、前記複数の装置を、異なる複数の動作状態にそれぞれ対応し、かつ、前記デバイスへの通電を前記サーバが許可する際の優先順位としてそれぞれ異なる優先順位を有する複数のグループにグループ化するグループ化手段と、
前記複数の装置のうち前記デバイスへの通電を許可する装置の消費電力に関するパラメータが、予め定められた上限値を超えない範囲で、前記優先順位が高い順に各グループに属する装置に対して、前記デバイスへの通電を許可することを示す許可通知を送信する通知手段と、を備え、
前記複数の装置のそれぞれは、
前記サーバから前記許可通知を受信していない場合には前記デバイスへの通電をオフにするよう制御する制御手段を備える
ことを特徴とするシステム。
【請求項２】
前記通知手段は、前記複数の装置のうち前記デバイスへの通電を許可する装置の台数が、前記予め定められた上限値を超えない範囲で、前記優先順位が高い順に各グループに属する装置に対して前記許可通知を送信することを特徴とする請求項１に記載のシステム。
【請求項３】
前記収集手段は、更に、前記複数の装置の各動作状態における消費電力値を、前記複数の装置のそれぞれから収集し、
前記通知手段は、前記複数の装置のうち前記デバイスへの通電を許可する装置の消費電力値の総和が、前記予め定めた上限値を超えない範囲で、前記優先順位が高い順に各グループに属する装置に対して前記許可通知を送信する
ことを特徴とする請求項１に記載のシステム。
【請求項４】
前記収集手段は、更に、前記動作状態を継続している継続時間を示す情報を前記複数の装置のそれぞれから収集し、
前記通知手段は、前記優先順位が高い順に各グループに属する装置に対して前記デバイスへの通電を許可していく際に、前記消費電力に関するパラメータが前記上限値を最初に超えるグループにおいて、前記収集手段によって収集された動作状態情報に含まれる前記継続時間が長い装置から順に、前記デバイスへの通電を許可することを特徴とする請求項２又は３に記載のシステム。
【請求項５】
前記通知手段は、前記優先順位が高い順に各グループに属する装置に対して前記デバイスへの通電を許可していく際に、前記消費電力に関するパラメータが前記上限値を最初に超えるグループにおいて、当該グループに属する装置に対して、前記許可通知とともに、前記デバイスに流す電流のデューティ比を制限する制限通知を送信し、
前記制御手段は、前記サーバから前記許可通知を受信した場合に前記デバイスへの通電をオンにするとともに、前記サーバから前記制限通知を受信した場合には当該制限通知に沿って前記装置の動作条件を変更することを特徴とする請求項２又は３に記載のシステム。
【請求項６】
前記デバイスはヒータであり、
前記制御手段は、前記サーバから前記許可通知を受信した場合に前記デバイスへの通電をオンにするとともに、前記サーバから前記制限通知を受信した場合には当該制限通知に沿って前記ヒータの目標温度を下げることを特徴とする請求項５に記載のシステム。
【請求項７】
前記複数の装置は複数の印刷装置であり、
前記制御手段は、前記サーバから前記許可通知を受信した場合に前記デバイスへの通電をオンにするとともに、前記サーバから前記制限通知を受信した場合には当該制限通知に沿って印刷速度を下げることを特徴とする請求項５に記載のシステム。
【請求項８】
前記複数の装置は複数の印刷装置であり、
前記制御手段は、前記サーバから前記許可通知を受信した場合に前記デバイスへの通電をオンにするとともに、前記サーバから前記制限通知があった場合に当該制限通知に沿って給紙間隔又は排紙間隔を長くすることを特徴とする請求項５に記載のシステム。
【請求項９】
前記デバイスはヒータであり、
前記動作状態は、少なくとも、前記ヒータの温度を一定に保つスタンバイ状態と、前記ヒータの温度が予め定めた閾値よりも低い場合に前記ヒータの通電を常時オンに保つ加熱状態とを含むことを特徴とする請求項１に記載のシステム。
【請求項１０】
それぞれがデバイスを内蔵する複数の装置のそれぞれにおける前記デバイスへの通電のオン及びオフを制御するためのサーバであって、
前記複数の装置の動作状態を示す動作状態情報を、前記複数の装置のそれぞれから収集する収集手段と、
前記収集手段によって収集した動作状態情報を参照して、前記複数の装置を、異なる複数の動作状態にそれぞれ対応し、かつ、前記デバイスへの通電を前記サーバが許可する際の優先順位としてそれぞれ異なる優先順位を有する複数のグループにグループ化するグループ化手段と、
前記複数の装置のうち前記デバイスへの通電を許可する装置の消費電力に関するパラメータが、予め定められた上限値を超えない範囲で、前記優先順位が高い順に各グループに属する装置に対して、前記デバイスへの通電を許可することを示す許可通知を送信する通知手段と、
を備えることを特徴とするサーバ。
【請求項１１】
デバイスを内蔵し、サーバからの指示に応じて前記デバイスへの通電のオン及びオフを制御する装置であって、
前記装置の動作状態を示す動作状態情報を含むパケットを、前記サーバへ定期的に送信する送信手段と、
前記パケットに対する前記サーバからの応答パケットを受信する受信手段と、
前記装置の動作状態に対応した優先順位に基づいて前記サーバによって前記デバイスへの通電が許可される際に前記サーバから送信される、前記デバイスへの通電を許可することを示す許可通知が、前記応答パケットに含まれているか否かを判定する判定手段と、
前記応答パケットに前記許可通知が含まれていない場合には前記デバイスへの通電をオフにするよう制御する制御手段と、
を備えることを特徴とする装置。
【請求項１２】
サーバと、それぞれがデバイスを内蔵する複数の装置とを備え、前記複数の装置が前記サーバからの指示に応じて前記デバイスへの通電のオン及びオフを制御するシステムの制御方法であって、
前記サーバにおいて、
前記複数の装置の動作状態を示す動作状態情報を、前記複数の装置のそれぞれから収集する収集工程と、
前記収集工程で収集した動作状態情報を参照して、前記複数の装置を、異なる複数の動作状態にそれぞれ対応し、かつ、前記デバイスへの通電を前記サーバが許可する際の優先順位としてそれぞれ異なる優先順位を有する複数のグループにグループ化するグループ化工程と、
前記複数の装置のうち前記デバイスへの通電を許可する装置の消費電力に関するパラメータが、予め定められた上限値を超えない範囲で、前記優先順位が高い順に各グループに属する装置に対して、前記デバイスへの通電を許可することを示す許可通知を送信する通知工程と、
前記複数の装置のそれぞれにおいて、
前記サーバから前記許可通知を受信していない場合には前記デバイスへの通電をオフにするよう制御する制御工程と、
を備えることを特徴とする制御方法。
【請求項１３】
それぞれがデバイスを内蔵する複数の装置のそれぞれにおける前記デバイスへの通電のオン及びオフを制御するためのサーバの制御方法であって、
前記複数の装置の動作状態を示す動作状態情報を、前記複数の装置のそれぞれから収集する収集工程と、
前記収集工程で収集した動作状態情報を参照して、前記複数の装置を、異なる複数の動作状態にそれぞれ対応し、かつ、前記デバイスへの通電を前記サーバが許可する際の優先順位としてそれぞれ異なる優先順位を有する複数のグループにグループ化するグループ化工程と、
前記複数の装置のうち前記デバイスへの通電を許可する装置の消費電力に関するパラメータが、予め定められた上限値を超えない範囲で、前記優先順位が高い順に各グループに属する装置に対して、前記デバイスへの通電を許可することを示す許可通知を送信する通知工程と、
を備えることを特徴とするサーバの制御方法。
【請求項１４】
デバイスを内蔵し、サーバからの指示に応じて前記デバイスへの通電のオン及びオフを制御する装置の制御方法であって、
前記装置の動作状態を示す動作状態情報を含むパケットを、前記サーバへ定期的に送信する送信工程と、
前記パケットに対する前記サーバからの応答パケットを受信する受信工程と、
前記装置の動作状態に対応した優先順位に基づいて前記サーバによって前記デバイスへの通電が許可される際に前記サーバから送信される、前記デバイスへの通電を許可することを示す許可通知が、前記応答パケットに含まれているか否かを判定する判定工程と、
前記応答パケットに前記許可通知が含まれていない場合には前記デバイスへの通電をオフにするよう制御する制御工程と、
を備えることを特徴とする装置の制御方法。
【請求項１５】
請求項１２に記載のシステムの制御方法における各工程をコンピュータに実行させるためのプログラム。
【請求項１６】
請求項１３に記載のサーバの制御方法における各工程をコンピュータに実行させるためのプログラム。
【請求項１７】
請求項１４に記載の装置の制御方法における各工程をコンピュータに実行させるためのプログラム。
【手続補正２】
【補正対象書類名】明細書
【補正対象項目名】発明の名称
【補正方法】変更
【補正の内容】
【発明の名称】複数の装置の総消費電力を制御するシステム、サーバ及び装置、並びにそれらの制御方法及びプログラム
【手続補正３】
【補正対象書類名】明細書
【補正対象項目名】００１０
【補正方法】変更
【補正の内容】
【００１０】
上記課題を解決するため、本発明に係るシステムは、サーバと、それぞれがデバイスを内蔵する複数の装置とを備え、前記複数の装置が前記サーバからの指示に応じて前記デバイスへの通電のオン及びオフを制御するシステムであって、前記サーバは、前記複数の装置の動作状態を示す動作状態情報を、前記複数の装置のそれぞれから収集する収集手段と、前記収集手段によって収集した動作状態情報を参照して、前記複数の装置を、異なる複数の動作状態にそれぞれ対応し、かつ、前記デバイスへの通電を前記サーバが許可する際の優先順位としてそれぞれ異なる優先順位を有する複数のグループにグループ化するグループ化手段と、前記複数の装置のうち前記デバイスへの通電を許可する装置の消費電力に関するパラメータが、予め定められた上限値を超えない範囲で、前記優先順位が高い順に各グループに属する装置に対して、前記デバイスへの通電を許可することを示す許可通知を送信する通知手段と、を備え、前記複数の装置のそれぞれは、前記サーバから前記許可通知を受信していない場合には前記デバイスへの通電をオフにするよう制御する制御手段を備える。